(57)【特許請求の範囲】
【請求項１】
通気性を有する材質で形成された押し花飾り用シート本体の表面に、複数個の押し花を用いて作画する場合には着脱可能に貼り付けることができるとともに、押し花の作画が完成した場合には所定の押し圧力で押し圧することにより固定的に貼り付けることができる粘着剤を吹き付け、あるいは塗布して粘着剤層を形成して押し花飾り用シートを形成する粘着剤層形成工程と、この粘着剤層形成工程後に複数個の押し花を粘着剤層に着脱させながら作画する押し花作画工程と、この押し花作画工程中や後に作画された押し花を所定の押し圧力で押し圧し、前記押し花飾り用シート本体に固定する作画固定工程とを含むことを特徴とする押し花飾りの製造方法。
【請求項２】
通気性を有する材質で形成された押し花飾り用シート本体と、この押し花飾り用シート本体の表面に形成された複数個の押し花を用いて作画する場合には着脱可能に貼り付けることができるとともに、押し花の作画が完成した場合には所定の押し圧力で押し圧することにより固定的に貼り付けることができる粘着剤を用いた粘着剤層とからなることを特徴とする押し花飾り用シート。
【発明の詳細な説明】
【０００１】
【発明の属する技術分野】
本発明はシートに複数個の押し花を用いて作画して固定する押し花飾りの製造方法および押し花飾り用シートに関する。
【０００２】
【従来の技術】
従来、複数個の押し花を用いて作画する場合、台紙に接着剤や接着テープを用いて押し花を固定している。
【０００３】
【発明が解決しようとする課題】
従来の台紙に押し花を接着剤や接着テープを用いて固定しながら作画する方法では、台紙に固定した押し花の位置替えや他の押し花との差し替え作業に手数がかかるとともに、このような作業を行なうと押し花を損傷させやすいという欠点があり、気軽に押し花を用いた作画をすることができないという欠点があった。
【０００４】
本発明は以上のような従来の欠点に鑑み、簡単な操作で押し花を自由に位置替えや差し替えを行なって、押し花飾り用シート本体に仮止させながら作画することができるとともに、該作画中に押し花が損傷するのを効率よく防止することができる押し花飾りの製造方法および押し花飾り用シートを提供することを目的としている。
【０００５】
本発明の前記ならびにそのほかの目的と新規な特徴は次の説明を添付図面と照らし合わせて読むと、より完全に明かになるであろう。
ただし、図面はもっぱら解説のためのものであって、本発明の技術的範囲を限定するものではない。
【０００６】
【課題を解決するための手段】
上記目的を達成するために、本発明は通気性を有する材質で形成された押し花飾り用シート本体の表面に、複数個の押し花を用いて作画する場合には着脱可能に貼り付けることができるとともに、押し花の作画が完成した場合には所定の押し圧力で押し圧することにより固定的に貼り付けることができる粘着剤を吹き付け、あるいは塗布して粘着剤層を形成して押し花飾り用シートを形成する粘着剤層形成工程と、この粘着剤層形成工程後に複数個の押し花を粘着剤層に着脱させながら作画する押し花作画工程と、この押し花作画工程中や後に作画された押し花を所定の押し圧力で押し圧し、前記押し花飾り用シート本体に固定する作画固定工程とで押し花飾りの製造方法を構成している。
【０００７】
また、本発明は通気性を有する材質で形成された押し花飾り用シート本体と、この押し花飾り用シート本体の表面に形成された複数個の押し花を用いて作画する場合には着脱可能に貼り付けることができるとともに、押し花の作画が完成した場合には所定の押し圧力で押し圧することにより固定的に貼り付けることができる粘着剤を用いた粘着剤層とで押し花飾り用シートを構成している。
【０００８】
【発明の実施の形態】
以下、図面に示す実施の形態により、本発明を詳細に説明する。
【０００９】
図１ないし図８に示す本発明の第１の実施の形態において、１は図２に示すように押し花飾り用シート本体２の表面に粘着剤層３を形成する粘着剤層形成工程で、この粘着剤層形成工程１で使用する前記押し花飾り用シート本体２は通気性を有する不織布、クロース、スポンジ、微小な凹凸が形成されたシートが使用されるとともに、粘着剤層３は複数個の押し花４を用いて作画する場合には着脱可能に貼り付けることができ、押し花４の作画が完成した場合には所定の押し圧力で押し圧することにより、固定的に貼り付けることができるＤｅｓｉｇｎＢｏｎｄ（商品名）等の粘着剤５を用い、前記押し花飾り用シート本体２の表面に吹き付けあるいは塗布、本発明の実施の形態では吹き付けにより押し花飾り用シート６を作る。
【００１０】
７は前記粘着剤層形成工程１で作成された押し花飾り用シート６に、図３に示すように複数個の押し花４を粘着剤層３に着脱させながら作画する押し花作画工程で、この押し花作画工程７では押し花４を後で位置替えや差し替えができるように仮止め状態となるように粘着剤層３に係止させた状態で行なう。
【００１１】
８は前記押し花作画工程７中や後に、図４に示すように作画された押し花４を所定の押し圧力で押し圧し、前記押し花飾り用シート本体２に固定する作画固定工程で、この作画固定工程８は作画された押し花４を指先で押し圧する作業で行なうが、この場合、作画された押し花４を汚したり、損傷させないように注意して行なう。
なお、ガラス板等で上部を覆った後、該ガラス板を押し圧して、作画された押し花４を固定してもよい。
【００１２】
９は押し花で作画された押し花飾り用シート６を押し花飾りに仕上げる押し花飾り仕上げ工程で、この押し花飾り仕上げ工程９は図５ないし図７に示すようにアルミ箔１０の上部に脱酸素剤１１や乾燥剤１２を位置させた後、押し花で作画された押し花飾り用シート６およびガラス板１３を位置させる。
しかる後、前記アルミ箔１０の外周部とガラス板１３の外周部とを空気抜きを行ないながら接着剤で固定して押し花飾り本体１４を作り、該押し花飾り本体１４を図８に示すように額縁１５に収納することにより、押し花飾り１６ができ上がる。
【００１３】
上記のような方法で製造された押し花飾り１６は、押し花飾り用シート６が通気性を有するので、押し花飾り用シート本体２の裏面に脱酸素剤１１や乾燥剤１２を配置してガラス板１３やアルミ箔１０で密封して押し花飾り本体１４に使用しても、押し花４の変色や劣化を表面から見えないように配置した脱酸素剤１１や乾燥剤１２で防止することができる。
【００１４】
【発明の異なる実施の形態】
次に、図９ないし図１７に示す本発明の異なる実施の形態につき説明する。なお、これらの本発明の異なる実施の形態の説明に当って、前記本発明の第１の実施の形態と同一構成部分には同一符号を付して重複する説明を省略する。
【００１５】
図９ないし図１１に示す本発明の第２の実施の形態において、前記本発明の第１の実施の形態と主に異なる点は、押し花飾り用シート本体２の表面に通気性を有するホットメルトフィルム１７を配置して押し花飾り用シート６Ａを構成するホットメルトフィルム設置工程１８後に押し花作画工程７を行ない、この押し花作画工程７中や後にホットメルトフィルム１７上の押し花４の作画にアイロン１９で加熱して押し花４の作画を押し花飾り用シート本体２にホットメルトフィルム１７で溶着固定する作画固定工程８Ａを行なった点で、このようにして押し花飾りの製造方法を行なってもよい。
なお、押し花４の作画上に重しを載せ、加熱炉内で加熱して作画固定工程を行なってもよい。
【００１６】
図１２ないし図１４に示す本発明の第３の実施の形態において、前記本発明の第２の実施の形態と主に異なる点は、押し花飾り用シート本体２とホットメルトフィルム１７とを接着剤や接着テープ等で固定した押し花飾り用シート６Ｂを構成するホットメルトフィルム設置工程１８Ａを行なった点で、このようなホットメルトフィルム設置工程１８Ａを用いて押し花飾りの製造方法を行なっても、前記本発明の第２の実施の形態と同様な作用効果が得られる。
【００１７】
図１５ないし図１７に示す本発明の第４の実施の形態において、前記本発明の第２の実施の形態と主に異なる点は、押し花飾り用シート本体２の表面にホットメルト溶剤２０を通気性を有するようにブラシを用いて塗布あるいは吹き付け塗布してホットメルトフィルム層２１を形成した押し花飾り用シート６Ｃを構成するホットメルトフィルム設置工程１８Ｂを行なった点で、このようなホットメルトフィルム設置工程１８Ｂを用いて押し花飾りの製造方法を行なっても、前記本発明の第２の実施の形態と同様な作用効果が得られる。
【００１８】
【発明の効果】
以上の説明から明らかなように、本発明にあっては次に列挙する効果が得られる。
【００１９】
（１）通気性を有する材質で形成された押し花飾り用シート本体の表面に、複数個の押し花を用いて作画する場合には着脱可能に貼り付けることができるとともに、押し花の作画が完成した場合には所定の押し圧力で押し圧することにより固定的に貼り付けることができる粘着剤を吹き付け、あるいは塗布して粘着剤層を形成して押し花飾り用シートを形成する粘着剤層形成工程と、この粘着剤層形成工程後に複数個の押し花を粘着剤層に着脱させながら作画する押し花作画工程と、この押し花作画工程中や後に作画された押し花を所定の押し圧力で押し圧し、前記押し花飾り用シート本体に固定する作画固定工程とからなるので、押し花飾り用シートの粘着剤層に複数個の押し花を着脱可能に係止させながら押し花の作画を行なうことができる。
したがって、押し花の位置替えや差し替えを押し花を損傷することなく容易に行なうことができる。
よって、押し花の位置替えや差し替えを行ないながら自分の好みに応じた押し花の作画を気軽に作成することができる。
【００２０】
（２）前記（１）によって、押し花飾り用シートは通気性を有しているので、背面に脱酸素剤や乾燥剤を配置しても、表面の押し花の作画の変色や劣化を該脱酸素剤や乾燥剤で図ることができる。
【００２１】
（３）前記（１）によって、粘着剤を吹き付けたり、複数個の押し花で作画したり、押し圧力で固定したりする作業でよいので、誰でもが簡単に特殊な用具を用いることなく行なうことができる。
したがって、誰でもが気軽に経済的に実施することができる。
【００２２】
（４）請求項２も前記（１）〜（３）と同様な効果が得られる。
【図面の簡単な説明】
【図１】本発明の第１の実施の形態の工程図。
【図２】本発明の第１の実施の形態の粘着剤層形成工程の説明図。
【図３】本発明の第１の実施の形態の押し花作画工程の説明図。
【図４】本発明の第１の実施の形態の作画固定工程の説明図。
【図５】本発明の第１の実施の形態の押し花飾り本体の分解斜視図。
【図６】本発明の第１の実施の形態の押し花飾り本体の平面図。
【図７】図６の７−７線に沿う断面図。
【図８】押し花飾りの説明図。
【図９】本発明の第２の実施の形態の工程図。
【図１０】ホットメルトフィルム設置工程の説明図。
【図１１】本発明の第２の実施の形態の作画固定工程の説明図。
【図１２】本発明の第３の実施の形態の工程図。
【図１３】ホットメルトフィルム設置工程の説明図。
【図１４】本発明の第３の実施の形態の押し花飾り用シートの説明図。
【図１５】本発明の第４の実施の形態の工程図。
【図１６】ホットメルトフィルム設置工程の説明図。
【図１７】本発明の第４の実施の形態の押し花飾り用シートの説明図。
【符号の説明】
１：粘着剤層形成工程、  ２：押し花飾り用シート本体、
３：粘着剤層、          ４：押し花、
５：粘着剤、
６、６Ａ、６Ｂ、６Ｃ：押し花飾り用シート、
７：押し花作画工程、    ８、８Ａ：作画固定工程、
９：押し花飾り仕上げ工程、
１０：アルミ箔、        １１：脱酸素剤、
１２：乾燥剤、          １３：ガラス板、
１４：押し花飾り本体、  １５：額縁、
１６：押し花飾り、      １７：ホットメルトフィルム、
１８、１８Ａ、１８Ｂ：ホットメルトフィルム設置工程、
１９：アイロン、        ２０：ホットメルト溶剤、
２１：ホットメルトフィルム層。
【図１】
0003631918.tif 000002
【図２】
0003631918.tif 000003
【図３】
0003631918.tif 000004
【図４】
0003631918.tif 000005
【図５】
0003631918.tif 000006
【図６】
0003631918.tif 000007
【図７】
0003631918.tif 000008
【図８】
0003631918.tif 000009
【図９】
0003631918.tif 000010
【図１０】
0003631918.tif 000011
【図１１】
0003631918.tif 000012
【図１２】
0003631918.tif 000013
【図１３】
0003631918.tif 000014
【図１４】
0003631918.tif 000015
【図１５】
0003631918.tif 000016
【図１６】
0003631918.tif 000017
【図１７】
0003631918.tif 000018